(57)【要約】【課題】  熱転写の手段を用いないで、布に符点を簡単な手段でマークししかも、符点をより細く作成して微細なクロス，ステッチ刺繍やより大きなクロス，ステッチ刺繍を提供する。【解決手段】  透明をした樹脂製の符点転写プレート（１）の上側半分に縦方向と横方向が同じピッチとした符点転写穴ピッチ（ｘ１，ｙ１）に符点転写穴（１ａ）を連結して孔設し、且つ符点転写穴ピッチ（ｘ１，ｙ１）の各中央にも符点転写穴（１ｂ）を孔設し、上記符点転写プレート（１）の下側半分に縦方向と横方向が同じピッチとしたしかも上記符点転写穴ピッチの１．５倍とした符点転写穴ピッチ（ｘ２，ｙ２）に上記符点転写穴（１ａ）を連結して孔設し且つ符点転写穴ピッチ（ｘ２，ｙ２）の各中央にも上記符点転写穴（１ｂ）を孔設した。【選択図】図１
0003173674.tif 000002
【実用新案登録請求の範囲】
【請求項１】
透明をした樹脂製の符点転写プレート（１）の上側半分に縦方向と横方向が同じピッチとした符点転写穴ピッチ（ｘ１，ｙ１）に符点転写穴（１ａ）を連続して孔設し、且つ符点転写穴ピッチ（ｘ１，ｙ１）の各中央にも符点転写穴（１ｂ）を孔設し、上記符点転写プレート（１）の下側半分に縦方向と横方向が同じピッチとしたしかも上記符点転写穴ピッチの１．５倍とした符点転写穴ピッチ（ｘ２，ｙ２）に上記符点転写穴（１ａ）を連続して孔設し且つ符点転写穴ピッチ（ｘ２，ｙ２）の各中央にも上記符点転写穴（１ｂ）を孔設したことを特徴としたクロス，ステッチ用符点転写プレート。
【請求項２】
上記符点転写プレート（１）の上端と右側端に１ｍｍ単位の目盛りを付けた請求項１に記載のクロス，ステッチ用符点転写プレート。
【考案の詳細な説明】
【技術分野】
【０００１】  本考案は、クロス．ステッチ刺繍の際に使用するクロス，ステッチ用符点転写プレートに関するものである。
【背景技術】
【０００２】  クロス．ステッチとは、規則正しいことの美しさ故、縦、横の織目がはっきりとし、しかも、正方形の形がとれるものが理想とされている。又刺繍の元デザインシートも縦、横にマス目入り（織目）のものが市販されているが、これを基に符点を刺繍布に転写するには熟練を要する。この問題を解決するために本出願人が考案した熱転写用符点方眼転写紙方式のものがある。（特許文献１）
【先行技術文献】
【特許文献】
【０００３】
【特許文献１】実用新案登録第３１６８７４９号
【考案の概要】
【考案が解決しようとする課題】
【０００４】  従来の技術では、自分の手元にある衣類、持ち物には、クロス．ステッチ刺繍は、符点がないので困難である。又、特許文献１のものは熱転写を行なうようになっているので加熱手段が必要になり、簡単にはクロス，ステッチ刺繍は行なえない。
【課題を解決するための手段】
【０００５】  透明をした樹脂製の符点転写プレート（１）上側半分に縦方向と横方向が同じピッチとした符点転写穴ピッチ（ｘ１，ｙ１）に符点転写穴（１ａ）を連結して孔設し、且つ符点転写穴ピッチ（ｘ１，ｙ２）の各中央にも符点転写穴（１ｂ）を孔設し、上記符点転写プレート（１）の下側半分に縦方向と横方向が同じピッチとしたしかも上記符点転写穴ピッチの１．５倍とした符点転写穴ピッチ（ｘ２，ｙ２）に上記符点転写穴（１ａ）を連結して孔設し、且つ符点転写穴ピッチ（ｘ２，ｙ２）の各中央にも上記符点転写穴（１ｂ）を孔設したことを特徴としたクロス，ステッチ用符点転写プレートを提供するものである。
【考案の効果】
【０００６】  従来のものよりもより微細なクロス，ステッチ刺繍が可能。熱転写をしないので簡単にクロス，ステッチ刺繍が可能。
【図面の簡単な説明】
【０００７】
【図１】本考案の符点転写プレートの平面図
【図２】クロス，ステッチ刺繍用のデザイン原画シート
【図３】クロス，ステッチ刺繍の完成状態図
【図４】符点転写の作成説明図
【図５】符点転写の作成要領図
【考案を実施するための形態】
【０００８】  考案の実施の形態について、図面を参照して説明する。図２はクロス，ステッチ刺繍用のデザイン原画シートを示し、図に示すようなデザイン原画（５Ａ）があり、従来のものはあらかじめ目印として縦線（５ａ）又は横線（５ｂ）の何れかが織目として織り線があるが、今回の考案に摘要するものは縦線（５ａ）と横線（５ｂ）とが刻線してあり、図１に設けてある符点転写穴（１ａ）の座標を確認する目安となすものである。
【０００９】  図１は本考案の符点転写プレート（１）を示し、上端と右端部には１ｍｍピッチで目盛り（１ｃ，１ｄ）が設けてある。符点転写プレート縦長さ（Ａ）の半分（１／２Ａ）を境にして上側は細目用符店転写プレート（１Ａ）として符点転写穴（１ａ）が符点転写穴ピッチ（ｘ１及びｙ１）で等間隔で孔設されている。
【００１０】  また符点転写穴ピッチ（ｘ１又はｙ１）の中点（１／２ｘ１，１／２ｙ１）には符店転写穴（１ｂ）が孔設してある。なお符点転写穴ピッチ（ｘ１とｙ１）は同一間隔としてある。
【００１１】  符点転写プレート縦長さ（Ａ）の下側半分（１／２Ａ）は太目用符点転写プレート（１Ｂ）としてあり、符点転写穴（１ａ）が符点符点転写穴（ｘ２及びｙ２）で等間隔に、また符点転写穴ピッチ（ｘ２又はｙ２）の中点（１／２ｘ２，１／２ｙ２）には符点転写穴（１ｂ）が孔設してある。
【００１２】  微細なクロス，ステッチ刺繍を行なう場合には符点転写プレート（１）は細め用符点転写プレート（１Ａ）が望ましいので符点転写穴ピッチ（ｘ１，ｙ１）は可能な限り最小限２ｍｍ程度が望ましいが、符点転写プレート（１）の強度を考慮して４ｍｍとしてある。
【００１３】  一方極太なクロス，ステッチ刺繍を行なう場合には符点転写プレート（１）は太目用転写プレート（１Ｂ）が望ましいので符点転写穴ピッチ（ｘ２，ｙ２）は可能な限り大きなものが望ましいが、本考案の場合は細目用符点転写プレート（１Ａ）の１．５倍とした６ｍｍとしてある。
【００１４】  本考案の符点転写プレート（１）は布にフイットするよう柔軟性を有するように厚さ１ｍｍ以下の透明性のある樹脂製とし、符点転写プレート縦長さ（Ａ）は使い勝手を考慮して２０ｃｍ程度、符点転写プレート横長さ（Ｂ）は１１ｃｍ程度としてある。
【００１５】  図５は図１に示す符点転写プレート（１）を使用してクロス，ステッチ刺繍用布（２）に符点マーク手段（４）を用いた符点転写の作成説明図である。クロス，ステッチ刺繍用布（２）上に符点転写プレート（１）を置き、図２に示すデザイン原画（５Ａ）をイメージして符点転写穴（１ａ，１ｂ）に符点マーク手段（４）にて符点マーク（４ａ）をマークする。この時符点マーク手段（４）は水性マーカーやサインペン等の液体インクにより符点マーク（４ａ）をマークできるものであれば、いずれのものでもよい。水性マーカーピグマにはぺん先も０．０５ｍｍ〜０．１以上各種あり、又色も（黒、赤、青、緑、茶、紫、オレンジ、ローズ、）等ありそれを使い布に符点マーク後デザイン画の色通りに有る色のみの箇所にだけクロスマークしておけば容易に刺繍が可能である。
【００１６】  又、刺繍する際において、符点の位置に目抜きの先で穴を開けながら刺していくと一つ穴に針が四度通るので刺し易く、又、刺した糸もまとまり美しく仕上がる。
【００１７】  図２に示したクロス，ステッチ刺繍用ノデザイン原画シート（５）を基にしてデザイン原画（５Ａ）を図５に示した要領で符点マーク（４ａ）に依ってクロス，ステッチ刺繍用布（２）上にマークして、図３に示すようにデザイン原画（５Ａ）の符点転写穴（１ａ）を忠実に転写することが出来る。この理由は図２に示すように縦線（５ａ）と横線（５ｂ）を基にしてクロス，ステッチ刺繍用布（２）に符点転写穴（１ａ）の座標点が容易に転写できるからに他ならない。
【００１８】  符点マーク（４ａ）がマークされると刺繍糸（３Ａ）によってクロス，ステッチ刺繍することにより図３に示すようなクロス，ステッチ刺繍画（３）が作成できる。
【００１９】  図４は符点転写の作成説明図を示す。本考案の符点転写プレート（１）の細目用符点転写プレート（１Ａ）を正規な位置で転写した後プレート（１Ａ）を１／２ｘ２，１／２ｙ１ずらすことにより細い転写穴ピッチとすることができ、また、太目用符点転写プレート（１Ｂ）を同様に１／２ｘ２１・２ｙ２ずらすことにより、より多様な転写穴ピッチを作成することができる。例えば白丸で示した符点転写穴（１ａ，１ｂ）は正規な位置で転写し、その後プレート（１Ａ）を１／２ｘ１，１／２ｙ１ずらして転写すると黒丸で示した符点転写穴（１ａ，１ｂ）が得られより微細な転写穴ピッチが出来る。
【００２０】  ちなみにプレート（１Ａ）をずらせて使用した後、プレート（１Ｂ）を反転して転用することにより、又、プレート（１Ｂ）をずらして使用した後、プレート（１Ａ）を反転して転用することにより符点転写穴ピッチ（ｘ１，ｘ２，ｙ１，ｙ２）は本考案のものによれば、２ｍｍ，３ｍｍ４ｍｍ，６ｍｍ，８ｍｍ，９ｍｍ，１０ｍｍ，１２ｍｍ，１５ｍｍとすることが可能になる。
【００２１】  目盛（１ｃ，１ｄ）は刺繍作業中に物指しとして使用することを考えて付加してあるものである。
【符号の説明】
【００２２】１    符点転写プレート１Ａ  細目用符点転写プレート１Ｂ  太目用符点転写プレート１ａ，１ｂ    符点転写穴１ｃ，１ｄ    目盛ｘ１，ｘ２，ｙ１，ｙ２    符点転写穴ピッチＡ    符点転写プレート縦長さＢ    符点転写プレート横長さ２    クロス，ステッチ刺繍用布３    クロス，ステッチ刺繍画３Ａ  刺繍糸４    符点マーク手段４ａ  符点マーク５    デザイン原画シート５Ａ  デザイン原画５ａ  縦線５ｂ  横線
【図１】
0003173674.tif 000003
【図２】
0003173674.tif 000004
【図３】
0003173674.tif 000005
【図４】
0003173674.tif 000006
【図５】
0003173674.tif 000007